(57)【要約】【課題】低コスト且つ安定して人体に送風することができるとともに、着用性を損なうことなく夜間作業用の光反射機能を有する人体用送風装置を提供する。【解決手段】人体Ａの背面側に配置される送風機２０と、送風機２０の吹出口から人体の肩上及び首横を介して人体の前面に延びるように形成された左右一対の導風パイプ３０とを備えているので、導風パイプ３０を肩掛け構造とすることができ、安定した送風が可能となるとともに、既存の衣服上に着用可能となるので低コストに構成することができる。また、人体Ａに着用可能な反射ベルト４０を備えているので、気温の高い夜間作業においても各導風パイプ３０から吐出される空気によって人体Ａを冷却することができるとともに、道路工事現場や交通整理現場においては、反射ベルト４０の反射光により、車両の通行に対する作業者の安全性を確保することができる。【選択図】図１
2017040017.tif 000002
【特許請求の範囲】
【請求項１】
人体に空気を送風する人体用送風装置であって、
人体の背面側に配置される送風機と、
送風機の吹出口から人体の肩上及び首横を介して人体の前面に延びるように形成され、空気を吐出する吐出孔が設けられた左右一対の導風パイプと、
送風機及び各導風パイプが取り付けられたベース部材と、
人体に着用可能に形成され、表面に光反射性の反射材を有する反射体とを備え、
ベース部材を反射体に連結した
ことを特徴とする人体用送風装置。
【請求項２】
前記反射体は、人体の前面から人体の肩上を介して人体の背面に延びる左右一対の肩掛けベルトと、人体の胴回りに延びる胴ベルトとを有する
ことを特徴とする請求項１記載の人体用送風装置。
【請求項３】
前記反射体は、肩掛けベルトが導風パイプの上に位置するように形成されている
ことを特徴とする請求項２記載の人体用送風装置。
【請求項４】
前記反射体は、肩掛けベルトが導風パイプの側方に位置するように形成されている
ことを特徴とする請求項２記載の人体用送風装置。
【請求項５】
前記ベース部材は、人体の肩上及び首横を介して人体の前面に延びる左右一対の延出部を有し、各延出部には導風パイプが固定されるとともに、各延出部は胴ベルトに連結されている
ことを特徴とする請求項１乃至４何れか１項記載の人体用送風装置。
【請求項６】
前記ベース部材は反射体に着脱自在に連結されている
ことを特徴とする請求項１乃至５何れか１項記載の人体用送風装置。
【請求項７】
導風パイプには、少なくとも人体の首又は顔方向に向かって空気を吐出する位置に吐出孔が複数設けられている
ことを特徴とする請求項１乃至６何れか１項記載の人体用送風装置。
【請求項８】
導風パイプに設けられた複数の吐出孔は、導風パイプの中心軸に対して互いに異なる角度に形成されている
ことを特徴とする請求項７記載の人体用送風装置。
【請求項９】
導風パイプには、人体の背面側の位置に吐出孔が設けられている
ことを特徴とする請求項１乃至８何れか１項記載の人体用送風装置。
【発明の詳細な説明】
【技術分野】
【０００１】
本発明は、例えば工事現場等の作業者に着用され、人体に空気を送風することにより涼感を与えることができる人体用送風装置に関する。
【背景技術】
【０００２】
近年、扇風機など人体から離れた所定の設置場所からの送風ではなく、送風機を携行することにより確実且つ効率的に風を人体に提供するものが提案されている。例えば、特許文献１には、衣服の腰付近に送風機を設け、衣服の内側に外気を導入し、袖口及び首元から導入空気を排出する冷却衣服が記載されている。また例えば、特許文献２には、首掛用ストラップにより送風機を首から吊り下げ、送風機から顔に向けて空気を送風するものが記載されている。これらのものでは何処にいても送風を受けることができるので利便性が高く、特に熱中症予防対策に好都合である。
【先行技術文献】
【特許文献】
【０００３】
【特許文献１】特開２００５−５４２９９号公報
【特許文献２】特開２０１３−３６４１０号公報
【発明の概要】
【発明が解決しようとする課題】
【０００４】
しかし、特許文献１に記載のものは、外気を導入する送風機を設けるために衣服に孔を形成する必要があり、換言すれば衣服は専用のものとなってしまうため、既存の衣服に適用することができない。このため、コストが高くなるとともに、利用者が好みのデザインの衣服を着用できないという問題があった。このような問題は、例えば建設現場では特に重要である。すなわち、建設現場においては衣服に種々の特殊機能が必要であったり、作業者の所属を表す表示がなされていたり、しかも現場毎に衣服を交換する必要があったりするため、特許文献１に記載の冷却衣服をこれら全てに対応させるには多大なコストがかかるという問題があった。
【０００５】
一方、特許文献２に記載のものは、衣服に依存しないものの送風機は首から吊り下げられるだけなので、体を大きく動かす必要がある利用形態においては、安定した送風の提供が困難であるという問題があった。このような問題は、例えば建設現場では特に重要である。また、このような現場作業では、送風機や首掛けストラップが作業現場の周囲の物などに引っ掛かったり衝突したりするおそれがあり、十分な安全性が確保しづらいという問題があった。
【０００６】
また、夜間の道路工事現場や交通整理現場においては、車両の通行に対する作業者の安全性を確保するために、光反射性の反射材を表面に設けた反射ベストを着用する場合が多い。一方、夏場など、夜間といえども気温が高い場合があり、特に道路工事現場では敷設直後のアスファルトから高温の熱が発生するため、このような夜間作業現場においても熱中症予防対策が必要である。
【０００７】
しかしながら、特許文献１に記載されたものでは、冷却衣服の上に更に反射ベストを着ると、着用物が多くなり、作業者にとって動きずらく重量も増すとともに、反射ベストで送風機の空気吸入口が塞がれてしまうおそれもあった。
【０００８】
本発明は上記事情に鑑みてなされたものであり、その目的とするところは、低コスト且つ安定して人体に送風することができるとともに、着用性を損なうことなく夜間作業用の光反射機能を有する人体用送風装置を提供することにある。
【課題を解決するための手段】
【０００９】
前記目的を達成するために、本願発明の人体用送風装置は、人体の背面側に配置される送風機と、送風機の吹出口から人体の肩上及び首横を介して人体の前面に延びるように形成され、空気を吐出する吐出孔が設けられた左右一対の導風パイプと、送風機及び各導風パイプが取り付けられたベース部材と、人体に着用可能に形成され、表面に光反射性の反射材を有する反射体とを備え、ベース部材を反射体に連結している。
【００１０】
これにより、導風パイプが肩掛け構造となることから安定した送風が可能となるとともに、既存の衣服に着用可能となる。また、人体に着用可能な反射体を備えているので、気温の高い夜間作業においても各導風パイプから吐出される空気によって人体を冷却することができるとともに、道路工事現場や交通整理現場においては、反射ベルトの反射光により、車両の通行に対する作業者の安全性を確保することができる。この場合、ベース部材が反射ベルトに連結されているので、各送風機及び各導風パイプが取り付けられたベース部材を反射体と一体に着用することができる。
【発明の効果】
【００１１】
本発明によれば、導風パイプが肩掛け構造となることから、安定した送風が可能となるとともに、既存の衣服に着用可能なので低コストに構成することができる。また、気温の高い夜間作業においても各導風パイプから吐出される空気によって人体を冷却することができるとともに、道路工事現場や交通整理現場においては、反射ベルトの反射光により、車両の通行に対する作業者の安全性を確保することができる。この場合、各送風機及び各導風パイプが取り付けられたベース部材を反射体と一体に着用することができるので、着用性が損なわれることがなく、現場での作業性を向上することができる。
【図面の簡単な説明】
【００１２】
【図１】本発明の一実施形態を示す着用状態の人体用送風装置の正面図
【図２】反射ベルトを一点鎖線で示した着用状態の人体用送風装置の正面図
【図３】着用状態の人体用送風装置の背面図
【図４】反射ベルトを一点鎖線で示した着用状態の人体用送風装置の背面図
【図５】平面状に展開した状態を示す人体用送風装置の平面図
【図６】送風機及び導風パイプを付設したベース部材を取り外した着用状態を示す人体用送風装置の正面図
【図７】送風機及び導風パイプを付設したベース部材を取り外した着用状態を示す人体用送風装置の背面図
【図８】本発明の他の実施形態を示す着用状態の人体用送風装置の正面図
【図９】反射ベルトを一点鎖線で示した着用状態の人体用送風装置の正面図
【図１０】着用状態の人体用送風装置の背面図
【図１１】反射ベルトを一点鎖線で示した着用状態の人体用送風装置の背面図
【発明を実施するための形態】
【００１３】
図１乃至図７は本発明の一実施形態を示すもので、人体に向かって送風する人体用送風装置を示すものである。
【００１４】
同図に示す人体用送風装置１は、人体Ａの背面から人体Ａの肩上を介して人体Ａの前面に亘って位置するように形成されたベース部材１０と、ベース部材１０に付設された左右一対の送風機２０と、送風機２０の吹出口から人体１０の肩上及び首横を介して人体Ａの前面まで延びる左右一対の導風パイプ３０と、表面に光反射性の反射材が設けられた反射体としての反射ベルト４０とを備えている。
【００１５】
ベース部材１０は、人体Ａの背面に位置して左右一対の送風機２０が取り付けられる主ベース部１１と、主ベース部１１の左右上部から人体Ａの肩上を介して人体Ａの前面に延びる左右一対の延出部１２とを備えている。各延出部１２には、延出部１２の先端からそれぞれ下方に延びる左右一対の連結ベルト１２ａが設けられ、各連結ベルト１２ａの先端側には面ファスナーからなる結合部１２ｂが設けられている。また、ベース部材１０には、各延出部１２同士を人体Ａの前面側で連結する胸部ベルト１３が設けられ、胸部ベルト１３は、雄部１４ａ及び雌部１４ｂを備えた締結バックル１４により締結及び締結解除が可能となっている。更に、ベース部材１０には、導風パイプ３０を取り付けるための複数の取付ベルト１５が設けられ、各取付ベルト１５は導風パイプ３０に沿って互いに間隔をおいて配置されている。本実施形態では、各取付ベルト１５として面ファスナーを用いた。
【００１６】
各送風機２０は、薄型略直方体形状の筐体２１と、筐体内に配置されたファン（図示省略）とを備えている。本実施の形態ではファンとしてシロッコファンを用いた。筐体２１の底面はベース部材１０のベース部１１に着脱自在に固定されている。本実施形態では、面ファスナーを用いて送風機２０をベース部１１に取り付けている。筐体２１の背面及び側面には空気を吸入する多数の吸入孔２１ａが設けられている。また、筐体２１の上部には導風パイプ３０に空気を供給する吹出口が形成され、吹出口には導風パイプ３０が接続されている。
【００１７】
各送風機２０には、バッテリなどの電装品を収容する電装袋２２が付設されている。電装袋２２は一部のみがベース部材１０のベース部１１に固着されており、他の所定箇所が面ファスナーなどの着脱部材な連結手段によりベース部１１に取り付けられている。これにより、バッテリ交換時の作業性が向上する。ベース部材１０の各延出部１２の先端部付近には、各送風機２０の駆動オンオフを切り替える電源スイッチ２３が送風機２０ごとに付設されている。電源スイッチ２３は、本実施形態のように各送風機２０に対応して複数設けてもよいし、１つの電源スイッチ２３で両送風機２０を同時に制御するように構成してもよい。なお、各図では、電源スイッチ２３と接続するケーブルは図示を省略した。
【００１８】
導風パイプ３０は、一方の端部が送風機２０の吹出口に嵌合している。すなわち、１つの導風パイプ３０と１つの送風機２０とは１つのユニットを形成している。導風パイプ３０には、複数の吐出孔３１が形成されている。吐出孔３１の形状、位置、個数は種々の形態が可能である。また、導風パイプ３０の他方の端部（先端部）には栓３２が設けられている。
【００１９】
本実施形態では、略丸穴形状の６つの吐出孔３１を、所定の間隔をおいて長手方向に連なるように形成した。具体的には、２つの吐出孔３１ａ及び３１ｂは、人体１０の胸前付近に形成されている。これら２つの吐出孔３１ａ及び３１ｂは、人体Ａに対してやや平行に空気が吐出する角度に形成されている。
【００２０】
また、他の３つの吐出孔３１ｃ，３ｄ，３１ｅは、主として、人体１０の首又は顔方向に向かって空気を吐出するように形成されている。各吐出孔３１ｃ，３１ｄ，３１ｅから吐出された空気は、人体Ａの首又は顔方向に風が供給されるような角度に形成されている。ここで、３つの吐出孔３１ｃ，３１ｄ，３１ｅは、導風パイプ３０の中心軸に対して、吐出方向が互いに異なる角度となるように形成されている。これにより、使用者個人の人体Ａに適した送風が可能となる。
【００２１】
さらに、他の１つの吐出孔３１ｆは、人体の背面側に形成されている。この吐出孔３１ｆは、人体１０に対してやや平行に空気が吐出する角度に形成されている。より具体的には、吐出孔３１ｃ，３１ｄ，３１ｅは、背面方向にあるものほど、吐出方向が上方になるように形成されている。
【００２２】
なお、人体Ａの胸前付近に形成された吐出孔３１ａ及び３１ｂ並びに背面側に形成された吐出孔３１ｆは、ベース部材１０側に向かって開口するように形成してもよい。この場合、ベース部材１０として通気性の良好な部材を用いれば、ベース部材１０を通過して人体Ａの表面に向かって風を供給することができる。
【００２３】
反射ベルト４０は、人体Ａの前面から人体Ａの肩上を介して人体の背面に延びる左右一対の肩掛けベルト４１と、各肩掛けベルト４１の両端が連結され、人体Ａの胴回りに延びる胴ベルト４２と、各肩掛けベルト４１の背面側の上部同士を接続する横ベルト４３とからなり、各肩掛けベルト４１、胴ベルト４２及び横ベルト４３の表面は、例えば赤色、黄色、橙色等、目立ちやすい色の光反射性の周知の反射材によって形成されている。各肩掛けベルト４１は、人体Ａの前面側ではベース部材１０の各延出部１２に沿って上下方向に延びるように配置され、人体Ａの背面側ではベース部材１０のベース部１１上を交差するように配置されている。胴ベルト４２は、人体Ａの腰回りに巻き付けられる帯状に形成され、図示しない面ファスナーによって人体Ａの胴回りに応じた周長で人体Ａに装着されるようになっている。横ベルト４３は人体Ａの背面側上部を左右方向に延びるように形成され、両端を各肩掛けベルト４１にそれぞれ接続されている。
【００２４】
反射ベルト４０には、ベース部材１０が着脱自在に取り付けられている。即ち、ベース部材１０の各連結ベルト１２ａの先端側を人体Ａの前面側に位置する胴ベルト４２に巻き掛けるとともに、結合部１２ｂが連結ベルト１２ａの他の部分に面ファスナーで結合するように折り返すことにより、反射ベルト４０にベース部材１０が連結される。
【００２５】
以上のように構成された人体用送風装置１においては、ベース部材１０のベース部材１１０が人体Ａの背面に位置し、ベース部材１０の各延出部１２及び各導風パイプ３０が人体Ａの肩に掛けられるとともに、ベース部材１０の各延出部１２及び各導風パイプ３０の先端側が人体Ａの前面側に位置する。また、反射ベルト４０の各肩掛けベルト４１がベース部材１０の各延出部１２及び各導風パイプ３０の上に位置するように人体Ａの肩に掛けられるとともに、反射ベルト４０の胴ベルト４２が人体Ａの腰回りに巻き付けられる。その際、各肩掛けベルト４１の左右方向の位置は横ベルト４３の左右方向の長さＬ1 によって決まるので、横ベルト４３の長さＬ1 は、各肩掛けベルト４１が各導風パイプ３０の上に位置する長さになっている。また、ベース部材１０の各連結ベルト１２ａの先端側が胴ベルト４２に連結されているので、ベース部材１０が確実に人体Ａに保持される。
【００２６】
ここで、各電源スイッチ２３をオンにすると、各送風機２０が作動し、図２及び図４に示すように各送風機２０から送風される空気が各導風パイプ３０の吐出孔３１から吐出される。これにより、各導風パイプ３０の吐出孔３１から吐出される風が人体Ａに送風され、人体Ａが冷却される。この場合、各吐出孔３１は導風パイプ３０の側方に臨むように形成されているので、反射ベルト４０の肩掛けベルト４１が導風パイプ３０の上に位置していても、吐出孔３１からの空気の吐出が妨げられることはない。
【００２７】
また、夜間の道路工事現場や交通整理現場において人体用送風装置１を着用することにより、夜間でも周囲の温度が高い場合に人体Ａを冷却することができるとともに、反射ベルト４０によって車両の通行に対する作業者の安全性が確保される。この場合、反射ベルト４０の肩掛けベルト４１が導風パイプ３０の上に位置しているので、反射ベルト４０の反射面の一部が導風パイプ３０やベース部材１０によって覆われることがなく、反射ベルト４０の反射による安全性が十分に確保される。
【００２８】
このように、本実施形態の人体用送風装置１は、人体Ａの背面側に配置される送風機２０と、送風機２０の吹出口から人体の肩上及び首横を介して人体の前面に延びるように形成された左右一対の導風パイプ３０と、送風機２０及び各導風パイプ３０が取り付けられたベース部材１０とから構成され、各導風パイプ３０の吐出孔３１から吐出される空気によって人体Ａを冷却するようにしたので、導風パイプ３０を肩掛け構造とすることができ、安定した送風が可能となるとともに、既存の衣服上に着用可能となるので、低コストに構成することができる。
【００２９】
また、本実施形態の人体用送風装置１は、人体Ａに着用可能な反射ベルト４０を備えているので、気温の高い夜間作業においても各導風パイプ３０から吐出される空気によって人体Ａを冷却することができるとともに、道路工事現場や交通整理現場においては、反射ベルト４０の反射光により、車両の通行に対する作業者の安全性を確保することができる。この場合、ベース部材１０が反射ベルト４０に連結されているので、各送風機２０及び各導風パイプ３０が取り付けられたベース部材１０を反射ベルト４０と一体に着用することができる。これにより、従来の送風機付き衣服に反射ベストを重ねて着用した場合のように着用性が損なわれることがなく、現場での作業性を向上することができる。
【００３０】
さらに、本実施形態では、一つの導風パイプ３０に対して一つの送風機２０を設けるとともに、導風パイプ３０と送風機２０の組をユニット化してベース部材１０に付設したので、導風パイプ３０と送風機２０のユニット化によりメンテナンス性に優れたものとなる。この場合、必要に応じて、一方の送風機２０のみを駆動させて左右一方の導風パイプ３０からのみ送風させることもできる。
【００３１】
また、反射ベルト４０は、人体Ａの前面から人体の肩上を介して人体Ａの背面に延びる左右一対の肩掛けベルト４１と、人体Ａの胴回りに延びる胴ベルト４２とを有しているので、反射ベルト４０を人体Ａに確実に着用することができるとともに、反射ベルト４０によってベース部材１０を確実に保持することができる。
【００３２】
さらに、ベース部材１０は、人体Ａの肩上及び首横を介して人体の前面に延びる左右一対の延出部１２を有し、各延出部１２には導風パイプ３０が固定されるとともに、各延出部１２は胴ベルト４２に連結されているので、ベース部材１０を反射ベルト４０に確実に連結することができ、送風機２０及び導風パイプ３０を安定して保持することができる。
【００３３】
また、ベース部材１０は反射ベルト４０に着脱自在に連結されているので、送風機２０及び導風パイプ３０を付設したベース部材１０を反射ベルト４０から容易に取り外すことができる。即ち、ベース部材１０の各連結ベルト１２ａを胴ベルト４２から外すことにより、ベース部材１０を反射ベルト４０から取り外すことができる。これにより、図６及び図７に示すように反射ベルト４０のみを着用することができるので、例えば冬場の現場作業など、人体への送風が必要ない場合に、送風機２０及び導風パイプ３０を付設したベース部材１０を反射ベルト４０から取り外すことにより、反射ベルト４０のみとして使用することができ、汎用性の向上を図ることができる。
【００３４】
図８乃至図１１は本発明の他の実施形態を示すもので、前記実施形態と同等の構成部分には同一の符号を付して示す。
【００３５】
本実施形態では、人体Ａの前面側及び背面側上部において、反射ベルト４０の各肩掛けベルト４１がベース部材１０の各延出部１２及び各導風パイプ３０の側方に位置するようになっている。即ち、各肩掛けベルト４１の左右方向の位置は横ベルト４３の左右方向の長さＬ2 によって決まるので、横ベルト４３の長さＬ2 を前記実施形態の長さＬ1 よりも長くするとともに、各肩掛けベルト４１がそれぞれ各延出部１２及び各導風パイプ３０に重ならずに左右方向外側に位置する長さにすることにより、各肩掛けベルト４１がベース部材１０の各延出部１２及び各導風パイプ３０の側方に配置される。
【００３６】
本実施形態においては、前記実施形態と同様、各送風機２０から送風される空気が各導風パイプ３０の吐出孔３１から吐出される。これにより、各導風パイプ３０の吐出孔３１から吐出される風が人体Ａに送風され、人体Ａが冷却される。その際、反射ベルト４０の肩掛けベルト４１が導風パイプ３０の側方に位置しているので、反射ベルト４０の反射面の一部が導風パイプ３０やベース部材１０によって覆われることがなく、反射ベルト４０の反射による安全性が十分に確保される。
【００３７】
また、前記実施形態と同様、各送風機２０及び各導風パイプ３０を付設したベース部材１０を反射ベルト４０から取り外すことにより、反射ベルト４０のみとして使用することができ。
【符号の説明】
【００３８】
１…人体用送風装置、１０…ベース部材、１１…ベース部、１２…延出部、２０…送風機、３０…導風パイプ、３１…吐出孔、４０…反射ベルト、４１…肩掛けベルト、４２…胴ベルト、４３…横ベルト、Ａ…人体。
【図１】
2017040017.tif 000003
【図２】
2017040017.tif 000004
【図３】
2017040017.tif 000005
【図４】
2017040017.tif 000006
【図５】
2017040017.tif 000007
【図６】
2017040017.tif 000008
【図７】
2017040017.tif 000009
【図８】
2017040017.tif 000010
【図９】
2017040017.tif 000011
【図１０】
2017040017.tif 000012
【図１１】
2017040017.tif 000013